(57)【要約】      （修正有）【課題】撮像装置本体の各機能部についての説明や操作方法の案内を表示画面に表示し、各機能部の機能の操作を直感的に素早く簡単に行えるようにする。【解決手段】撮影者がどこかの機能部位周辺の接触検出手段に指が触れると(S102)、システム制御部によりどの機能部位周辺の接触検出手段に指が触れたかを判断し、表示画面上に触れた機能を表示し、その機能の活用方法や操作方法を表示する。さらに、同時にその機能をＯＮにするかＯＦＦにするかの選択表示がされ(S103)、撮影者が表示画面上でＯＮかＯＦＦかの選択を実行し(S104)、その機能に関する表示が終了する(S105)。【選択図】図４
2012124627.tif 000002
【特許請求の範囲】
【請求項１】
画像を表示する表示部と、撮影者により接触されたことを検出する一つあるいは複数の接触検出手段と、前記接触検出手段による検出結果に基づいて、検出した機能についての説明や操作方法の案内を前記表示部の表示画面に表示することを特徴とする撮像装置。
【請求項２】
前記接触検出手段は、前記撮像装置に有する一つあるいは複数の機能部の周辺部位に配されることを特徴とする請求項１に記載の撮像装置。
【請求項３】
機能部とは、ストロボ機能、ビデオライト機能であることを特徴とする請求項２に記載の撮像装置。
【請求項４】
前記表示部の表示画面には、タッチパネルを有することを特徴とする請求項３に記載の撮像装置。
【請求項５】
前記表示部の表示画面に表示された前記機能は、前記機能の表示の指示に従って、前記表示部の表示画面上で選択操作することが可能であることを特徴とする請求項４に記載の撮像装置。
【請求項６】
撮影者による撮影中に、前記撮像装置に有する撮影操作キーを操作しながら、前記表示部の表示画面上を接触することにより、前記撮影操作キーに付随する撮影操作モードを前記表示部の表示画面上で操作することが可能であることを特徴とする請求項４に記載の撮像装置。
【発明の詳細な説明】
【技術分野】
【０００１】
本発明は、撮像装置における機能部および撮影操作キーと表示画面に有するタッチパネルとの併用操作に関するものである。
【背景技術】
【０００２】
従来、撮像装置本体に備えられたストロボ発光部やビデオライト部、外部の電子機器等と接続するためのコネクタ類といった撮像装置の各機能部において、各々の機能部を操作するための操作部材がどれであるか、操作場所がどこにあるか、あるいは、その機能部はどのような役割があるのか、撮像装置本体を見ただけでは撮影者にとっては非常にわかりにくかった。
【０００３】
例えば、ビデオライトを発光させたい場合、撮像装置本体にビデオライト専用のボタンが設けられていればそのボタンを押せば発光することがわかるが、大抵は操作ボタンの削減により撮像装置本体にビデオライト専用のボタンが設けられていない場合が多く、その場合は撮像装置本体に設けてあるメニューキーによってメニューの階層に入っていくことでビデオライト発光のＯＮとＯＦＦを選択できるような操作の仕組みになっている。そのような場合、操作の煩わしさもさることながら、それ以前にビデオライトを発光させるための操作方法を知ることが困難であった。購入時に撮像装置と同梱されている取り扱い説明書を読めばその操作方法を知ることができるが、分厚い取り扱い説明書を読むことの煩わしさがあった。
【０００４】
また、撮像装置本体に備えられたシャッターボタンやズームキー等の撮影操作キーにおいても、それら装置本体に備えられた撮影操作キーのみの操作だけでは、操作の煩わしさがあった。
【０００５】
例えば、静止画像を撮影する際に、シャッターボタンの操作により静止画像を撮影し記録するが、このとき、撮影者はストロボの発光モードはＯＮであるかＯＦＦであるかを知らずにシャッター操作をしてしまい、結局、撮影者が望む発光モードになっていない場合があった。また、２段階のプッシュ式シャッターボタンにおいて、シャッターボタンを半押し(１段階目を押す)したときに被写体の焦点が定まるといった画像調整を行うが、このとき、撮影者が望むストロボの発光がＯＮになっていないことに気付き、一度半押しを解除して、所定の操作によりストロボの発光モードをＯＮにして、再度半押しするといった煩わしさがあった。また、シャッターボタンを半押ししたときに被写体の焦点が定まるといった画像調整を行う際、撮影者が望む被写体の位置になかなか焦点が合わない場合もあり、そうした操作が難しかった。さらに、撮影中に使用するズームキーのズーミング操作においては、ズームキーの微少な操作量で早くズーミングされてしまうため、撮影者にとって、ゆっくりとしたズーミング操作をすることが難しかった。
【０００６】
従来、操作部材の点数を増やすことなく、操作部材に割り当て可能な機能の数を増やすと共に、各操作部材に割り当てられた機能をわかりやすく撮影者に知らせることができる画像処理装置及び制御方法が提案されている(例えば、特許文献１)。
【先行技術文献】
【特許文献】
【０００７】
【特許文献１】特開2007-221721号公報
【発明の概要】
【発明が解決しようとする課題】
【０００８】
しかしながら、特許文献１において、各操作部材に割り当てられた機能を表示画面にわかりやすく撮影者に知らせることはできるが、撮影者が使用したい機能を使用可能にするまでにはある程度の操作が必要となり、結局操作の煩わしさがあった。また、機能の操作を表示画面にわかりやすく表示することはできるが、表示画面上での操作はできないため、簡単で且つ素早くできる操作が望まれていた。
【０００９】
本発明は、上述した問題点を解消し、撮像装置における機能部および撮影操作キーと表示画面に有するタッチパネルとの併用操作に対する画面表示処理を提供することを目的としたものである。
【課題を解決するための手段】
【００１０】
上記課題を解決するための解決手段として、本発明の撮像装置は、画像を表示する表示部と、撮影者により接触されたことを検出する一つあるいは複数の接触検出手段と、前記接触検出手段による検出結果に基づいて、検出した機能についての説明や操作方法の案内を前記表示部の表示画面に表示することを特徴としている。
【００１１】
また、本発明の撮像装置は、前記接触検出手段は、前記撮像装置に有する一つあるいは複数の機能部の周辺部位に配されることを特徴としている。
【００１２】
また、本発明の機能部とは、ストロボ機能、ビデオライト機能であることを特徴としている。
【００１３】
また、本発明の撮像装置は、前記表示部の表示画面には、タッチパネルを有することを特徴としている。
【００１４】
また、本発明の撮像装置は、前記表示部の表示画面に表示された前記機能は、前記機能の表示の指示に従って、前記表示部の表示画面上で選択操作することが可能であることを特徴としている。
【００１５】
また、本発明の撮像装置は、撮影者による撮影中に、前記撮像装置に有する撮影操作キーを操作しながら、前記表示部の表示画面上を接触することにより、前記撮影操作キーに付随する撮影操作モードを前記表示部の表示画面上で操作することが可能であることを特徴としている。
【発明の効果】
【００１６】
以上説明したように、本発明によれば、撮像装置本体の各機能部周辺を触れることで、その各機能部についての説明や操作方法の案内を表示画面に表示し、表示画面上にて機能の操作が可能となるため、撮影者は各機能部の機能の操作を直感的に素早く簡単に行うことができる。また、撮像装置本体に備えられたシャッターボタンやズームキー等の撮影操作キーにおいて、それら装置本体に備えられた撮影操作キーと表示画面上による操作を併用することにより、撮影操作に付随する操作の煩わしさをなくし、操作性を向上させることができる。
【図面の簡単な説明】
【００１７】
【図１】本発明の実施形態における撮像装置の概略構成を示すブロック図である。
【図２】(ａ)は本発明の実施形態における撮像装置の正面斜視図、(ｂ)は本発明の実施形態における撮像装置の後面斜視図である。
【図３】本発明の第１の実施形態における撮像装置の機能部周辺部位にある接触検出手段に触れたときの表示部の表示画面を示す図である。(ａ)はストロボ周辺部位にある接触検出手段に触れたときの表示画面を示す図、 (ｂ)はビデオライト周辺部位にある接触検出手段に触れたときの表示画面を示す図、 (ｃ)はＵＳＢ端子周辺部位にある接触検出手段に触れたときの表示画面を示す図である。
【図４】本発明の第１の実施形態における撮像装置の動作を示すフローチャートである。
【図５】本発明の第２の実施形態における撮像装置のシャッターボタンがＳＷ１の状態における表示部の表示画面を示す図である。 (a-1)はシャッターボタンがＳＷ１の状態で被写体のある位置において焦点が定まった状態の表示画面を示す図、 (a-2)は (a-1)の状態で表示画面を触れたときの表示画面を示す図である。 (b-1)はシャッターボタンがＳＷ１の状態で被写体のある位置において焦点が定まった状態の表示画面を示す図、 (b-2)は (b-1)の状態で表示画面に表示されたＡＦ枠を触れたときの表示画面を示す図、 (b-3)は (b-2)の状態から表示画面に表示されたＡＦ枠を触れながら移動したときを示す図である。
【図６】本発明の第２の実施形態における撮像装置の動作を示すフローチャートである。
【図７】本発明の第３の実施形態における撮像装置のズームＳＷを操作した状態における表示部の表示画面を示す図である。 (a-1)はズームＳＷが操作され、ズームＳＷバーが表示画面に表示されたことを示す図、 (a-2)は (a-1)の状態で表示画面を触れたときの表示画面を示す図である。
【図８】本発明の第３の実施形態における撮像装置の動作を示すフローチャートである。
【発明を実施するための形態】
【００１８】
本発明の実施形態を図１〜図８に基づいて説明する。
【００１９】
図１は、本発明の実施形態における概略構成のブロック図である。図１において、本発明の撮像装置は、被写体を撮像光学部１０により撮り込み、撮像制御部１１にてオートフォーカス等の画像調整を行い、撮像画像処理部１２で画像処理を行う。取り込まれた動画像および静止画像は、表示部１３に表示される。表示部１３に表示された画像を記録する場合は、システム制御部１４にて画像記録処理され、記録媒体１５に記録される。操作入力部１６は、２段階の操作ストロークを有するプッシュ式のシャッターボタン１７(１段目のストローク:ＳＷ１、２段目のストローク:ＳＷ２)と、スライド式のズームＳＷ１８と、表示部１３に有するタッチパネル１３ａ(表示画面上にて操作可能な入力ＳＷ)と、電源ＳＷ１９を備え、各々のＳＷが入力されるとシステム制御部１４にてどのＳＷが入力されたかを判断し制御する構成となっている。また、撮像装置の機能として、静止画撮影時の照明機能であるストロボ機能２０、動画撮影時の照明機能であるビデオライト機能２１、外部の電子機器と接続するためのコネクタ部(ここではＵＳＢ端子とするが、Ｄ端子,ＨＤＭＩ端子等であっても構わない)２２を有し、操作入力部１６にて入力されシステム制御部１４にてどのＳＷが入力されたかを判断および制御することで、ストロボ機能２０、ビデオライト機能２１、コネクタ部(ＵＳＢ端子)２２の機能を操作できる構成となっている。接触検出部２３は、ストロボ機能２０、ビデオライト機能２１、コネクタ部(ＵＳＢ端子)２２の各々の機能部位には接触検出手段２０ａ,２１ａ,２２ａを備えており、撮影者の指が各々の接触検出手段２０ａ,２１ａ,２２ａに触れると、システム制御部１４にてどの機能の場所が触れたかを判断し制御する構成となっている。
【００２０】
図２は、本発明の実施形態における撮像装置の斜視図である。図２において、撮像光学部１０と、操作入力キーとしてシャッターボタン１７と、ズームＳＷ１８と、電源ＳＷ１９を撮像装置本体２４に備え、表示画面にタッチパネル１３ａを有する表示部１３がヒンジ(不図示)を介して撮像装置本体２４に接続されている。表示部１３が開くと表示画面の表示が開始される構成である。撮像装置の機能として、ストロボ機能２０、ビデオライト機能２１、コネクタ部(ＵＳＢ端子)２２を撮像装置本体２４に備えている。撮像装置の機能におけるストロボ機能２０、ビデオライト機能２１、コネクタ部(ＵＳＢ端子)２２の略周辺部位には、接触検出手段２０ａ,２１ａ,２２ａ(ハッチング部)を設けており、撮影者の指が接触検出手段２０ａ,２１ａ,２２ａに触れると、どの機能部位の接触検出手段２０ａ,２１ａ,２２ａに指が触れたかを瞬時に判断し、表示部１３の表示画面にその機能についての説明や操作方法の案内を表示したり、表示画面上で操作の選択や決定をしたりすることができる。各々の機能の周辺に設けた接触検出手段２０ａ,２１ａ,２２ａは、タッチセンサーやフォトインタラプタのように光の反射を検出することによって反応する検出手段などが考えられる。ここで、撮像装置本体２４に設置されたシャッターボタン１７は、２段階の操作ストロークを有するプッシュ式のボタンであり、静止画撮影の場合、撮影者が１段目のストローク分を押す(ＳＷ１と明記)と、被写体の焦点が定まるといった画像調整を行い、２段目のストローク分を押す(ＳＷ２と明記)と、そのときの静止画像を記録媒体に記録する。仮に、ＳＷ１状態から、撮影者が押していた指を離す、いわゆる解除すると、定まっていた焦点が解除される。
【００２１】
<第１の実施形態>
次に、上記構成を有する撮像装置における本発明の第１の実施形態について説明する。
【００２２】
図３に第１の実施形態の場合における表示部１３の表示画面への表示の例を示す。図３の(ａ)〜(ｃ)における図は、表示部１３の表示画面を示している。
【００２３】
図３(ａ)においては、電源ＳＷ１９にて電源をＯＮして、撮影者が撮像装置本体２４のストロボ２０周辺部位にある接触検出手段２０ａに触れたときの表示部１３の表示画面を示している。撮影者が撮像装置本体２４のストロボ２０周辺部位にある接触検出手段２０ａに触れると、表示部１３の表示画面には、ストロボ機能２０であることを表示し、併せてストロボ機能２０についての活用方法や操作方法の案内２５を表示する。それにより、撮影者は、自ら触れた機能の部位がストロボ機能２０であることが瞬時にわかるし、その活用方法や操作方法も瞬時に知ることができる。また同時に、ストロボ機能２０をＯＮにするか、ＯＦＦにするかの選択表示２５ａがされ、タッチパネル１３ａを有する表示画面上で瞬時にＯＮかＯＦＦかの選択を実行することができる。
【００２４】
図３(ｂ)においては、電源ＳＷ１９にて電源をＯＮして、撮影者が撮像装置本体２４のビデオライト２１周辺部位にある接触検出手段２１ａに触れたときの表示部１３の表示画面を示している。撮影者が撮像装置本体２４のビデオライト２１周辺部位にある接触検出手段２１ａに触れると、表示部１３の表示画面には、ビデオライト機能２１であることを表示し、併せてビデオライト機能２１についての活用方法や操作方法の案内２６を表示する。それにより、撮影者は、自ら触れた機能の部位がビデオライト機能２１であることが瞬時にわかるし、その活用方法や操作方法も瞬時に知ることができる。また同時に、ビデオライト機能２１をＯＮにするか、ＯＦＦにするかの選択表示２６ａがされ、タッチパネル１３ａを有する表示画面上で瞬時にＯＮかＯＦＦかの選択を実行することができる。
【００２５】
図３(ｃ)においては、電源ＳＷ１９にて電源をＯＮして、撮影者が撮像装置本体２４のコネクタ(ＵＳＢ端子)２２周辺部位にある接触検出手段２２ａに触れたときの表示部１３の表示画面を示している。撮影者が撮像装置本体２４のＵＳＢ端子２２周辺部位にある接触検出手段２２ａに触れると、表示部１３の表示画面には、ＵＳＢ端子２２であることを表示し、ＵＳＢ端子機能２２についての活用方法や操作方法の案内２７を表示する。それにより、撮影者は、自ら触れた機能の部位がＵＳＢ端子２２であることが瞬時にわかるし、その活用方法や操作方法も瞬時に知ることができる。
図４は、第１の実施形態における撮像装置の動作を示すフローチャートである。
【００２６】
第１の実施形態の制御は、撮影者が撮像装置本体２４に備えた電源ＳＷ１９を入力することにより電源がＯＮになり、撮影準備を開始する(S100)。 次に、表示部１３が開くと表示画面の表示を開始する(S101、撮像装置２４の状態は図２のような状態)。次に、撮影者がどこかの機能部位周辺の接触検出手段２０ａ,２１ａ,２２ａに指が触れると(S102)、システム制御部１４によりどの機能部位周辺の接触検出手段２０ａ,２１ａ,２２ａに指が触れたかを判断し、表示画面上に触れた機能を表示し、その機能の活用方法や操作方法を表示する。さらに、同時にその機能をＯＮにするかＯＦＦにするかの選択表示がされ(S103)、撮影者が表示画面上でＯＮかＯＦＦかの選択を実行し(S104)、その機能に関する表示が終了する(S105)。表示終了(S104)後は、撮影者の判断により、S102を繰り返すか、撮影を開始するモードに移行する(S106)。
【００２７】
<第２の実施形態>
次に、本発明の第２の実施形態について説明する。
【００２８】
図５に第２の実施形態の場合における表示部１３の表示画面への表示の例を示す。図５の(ａ-1)から(ｂ-3)における図は、表示部１３の表示画面を示している。
【００２９】
図５(ａ-1)においては、撮影が開始できる撮影モードであり、シャッターボタン１７がＳＷ１の状態で、被写体のある位置において焦点が定まった画像調整を行った状態の表示画面を示している。表示画面中の四角枠２８は、その位置において焦点が定まっていることを意味する(以後、四角枠をＡＦ枠２８と明記)。
【００３０】
図５(ａ-2)においては、図５(ａ-1)の状態のままで、撮影者の指が画面上を指で触れたとき、ストロボ機能２０がＯＮになることを示している。この例では、折れ線の下向き矢印２９が表示画面中に表示されるとストロボ機能２０がＯＮであることを示す。ここで、図５(ａ-1)において、元々ストロボ機能２０がＯＮの状態であった場合、その状態で撮影者の指が画面上を指で触れると、ストロボ機能２０がＯＦＦになる。つまり、撮影者が静止画像を撮ろうとしてシャッターボタン１７をＳＷ１の状態にしたとき、その時点でストロボ機能２０をＯＮ(あるいはＯＦＦ)にしたくなった場合、表示画面上に指を触れるだけで簡単にストロボ機能２０をＯＮ(あるいはＯＦＦ)にすることができる。指を離して引き続きシャッターボタン１７をＳＷ２にすると、ストロボ機能をＯＮ(あるいはＯＦＦ)にした状態で静止画像を記録媒体１５に記録することができる。
【００３１】
図５(ｂ-1)においては、図５(ａ-1)と同様に、撮影が開始できる撮影モードであり、シャッターボタン１７がＳＷ１の状態で、被写体のある位置において焦点が定まった画像調整を行った状態の表示画面を示している。表示画面中には被写体のある位置においてＡＦ枠２８の表示がある。
【００３２】
図５(ｂ-2)は、図５(ｂ-1)の状態のままで、撮影者の指がＡＦ枠２８を指で触れたことを示し、図５(ｂ-3)は、図５(ｂ-2)の状態から撮影者の指がＡＦ枠２８を移動させていることを示している。図５(ｂ-3)のように、被写体のある位置におけるＡＦ枠２８を別の位置に移動すさせると、ＡＦ枠２８が移動した位置に焦点が定まる。つまり、撮影者が静止画像を撮ろうとしてシャッターボタン１７をＳＷ１の状態にしたとき、その時点で自動的に定まった焦点を別の位置に変更したい場合、表示画面中のＡＦ枠２８に指を触れ、触れた状態で撮影者が焦点を合わせたい位置に移動するだけで、簡単にＡＦ枠２８を移動した位置に焦点を合わせることができる。指を離して引き続きシャッターボタン１７をＳＷ２にすると、ＡＦ枠２８を移動した位置に焦点を合わせた状態の静止画像を記録媒体１５に記録することができる。
【００３３】
図６は、第２の実施形態における撮像装置の動作を示すフローチャートである。
【００３４】
第２の実施形態の制御は、撮影者が撮像装置本体２４に備えた電源ＳＷ１９を入力することにより電源がＯＮになり、撮影を開始する撮影モードである状態から開始する(S100)。 次に、撮影者がシャッターボタン１７をＳＷ１の状態にすると(S101)、システム制御部１４によりシャッターボタン１７がＳＷ１になったことを判断し、被写体のある位置において焦点が定まった画像調整の制御を行い、表示画面中にＡＦ枠２８を表示する(S102)。次に、ＡＦ枠２８も含めて表示画面に指が触れ(S103)、その指が表示画面上を移動することなく指が離れると(S104)、ストロボ機能２０をＯＮ(あるいはＯＦＦ)にする(S105)。そのまま続けてシャッターボタン１７がＳＷ２の状態になれば(S107)、ストロボ機能２０をＯＮ(あるいはＯＦＦ)にした状態で静止画像を記録媒体１５に記録することができる(S108)。S103のとき、ＡＦ枠２８のところに指が触れ、その指が表示画面上を移動すると(S104)、指の移動とともにＡＦ枠２８が移動し、ＡＦ枠２８を移動した位置に焦点が合う(S106)。そのまま続けてシャッターボタン１７がＳＷ２の状態になれば(S107)、ＡＦ枠２８を移動した位置に焦点を合わせた状態の静止画像を記録媒体１５に記録することができる。ここで、S102の状態で表示画面に指が触れることなく、S107の操作が実行されれば、シャッターボタン１７がＳＷ１に操作される前の撮影設定のまま静止画像が記録媒体１５に記録される(S108)。
【００３５】
<第３の実施形態>
次に、本発明の第３の実施形態について説明する。
【００３６】
図７に第３の実施形態の場合における表示部１３の表示画面への表示の例を示す。図７の(ａ-1)(ａ-2)における図は、表示部１３の表示画面を示している。
【００３７】
図７(ａ-1)においては、撮影が開始できる撮影モードであり、ズームＳＷ１８が操作されている状態を示している。ズームＳＷ１８が操作されている間は、ズームＳＷバー３０が表示画面上に表示される。表示画面上に表示するズームＳＷバー３０は、撮影者がどのくらいＷ側(ワイド側)あるいＴ側(テレ側)にズーミング操作をしているかの目安の役割がある。
【００３８】
図７(ａ-2)においては、図７(ａ-1)の状態のままで、撮影者の指が表示画面上を指で触れたことを示しており、このとき、表示画面上のズームＳＷバー３０を指で触れて操作することが可能となる。このとき、図７(ａ-1)の状態のままで、撮影者の指が表示画面上を指で触れると、システム制御部１４にて撮像装置本体のズームＳＷ１８よりも表示画面上のズームＳＷバー３０の操作を優先する制御を行う。表示画面上のズームＳＷバー３０を指でＷ側(ワイド側)に移動すればワイド側にズーミングすることができ、Ｔ側(テレ側)に移動すればテレ側にズーミングすることができる。図７(ａ-2)に示す矢印の方向に指を移動しズーム操作することができる。表示画面上のズームＳＷバー３０で行うズーミング操作は、撮像装置本体２４のズームＳＷ１８で行うズーミング操作よりも操作する移動量を大きくできる。それゆえ、ゆっくりとズーミングする場合は、表示画面上のズームＳＷバー３０で行うズーミング操作の方が操作しやすい。撮像装置本体２４のズームＳＷ１８によるズーミング操作は、微少な操作量で早くズーミングされてしまうため、撮影者にとってはゆっくりとしたズーミング操作をすることが難しい。撮影者が撮影中にゆっくりとしたズーミング操作を楽に行いたい場合は、表示画面上のズームＳＷバー３０の操作を優先させ、表示画面上のズームＳＷバー３０を指でＷ側(ワイド側)あるいＴ側(テレ側)に移動することで、容易にゆっくりとしたズーミング操作ができる。
【００３９】
図８は、第３の実施形態における撮像装置の動作を示すフローチャートである。
【００４０】
第３の実施形態の制御は、撮影者が撮像装置本体２４に備えた電源ＳＷ１９を入力することにより電源がＯＮになり、撮影を開始する撮影モードである状態から開始する(S100)。次に、撮影者がズームＳＷ１８操作を行うと(S101)、システム制御部１４によりズームＳＷ１８が操作されたことを判断し、撮像制御部１１にてズーム画像の制御を行い、表示画面上にズームＳＷバー３０を表示する(S102)。次に、ズームＳＷ１８を操作中に(表示画面上にズームＳＷバー３０が表示している間中に)、表示画面に指が触れると(S103)、表示画面上にズームＳＷバー３０の操作が優先され、その間、撮像装置本体２４のズームＳＷ１８の操作は無効になる(S104)。撮影者の指が表示画面上にズームＳＷバー３０を操作し(S105)、その後、表示画面上のズームＳＷバー３０から指が離れ(S106)、一定時間経過すると(S107)、表示画面上のズームＳＷバー３０の表示は終了する(S108)。再びズーム操作を行う場合は、まず撮像装置本体２４のズームＳＷ１８の操作を行い(S101)、次にゆっくりとしたズーミング操作を楽に行いたい場合は、撮像装置本体２４のズームＳＷ１８の操作中に表示画面に指を触れることで(S103)、表示画面上のズームＳＷバー３０の操作を優先させて操作することを繰り返す。
【符号の説明】
【００４１】
１０  撮像光学部
１１  撮像制御部
１２  画像処理部
１３  表示部
１３ａタッチパネル
１４  システム制御部
１５  記録媒体
１６  操作入力部
１７  シャッターボタン
１８  ズームＳＷ
１９  電源ＳＷ
２０  ストロボ機能
２０ａ,２０ｂ,２０ｃ 接触検出手段
２１  ビデオライト機能
２２  コネクタ(ＵＳＢ端子)
２３  接触検出部
２４  撮像装置本体
２５,２６,２７ 機能ガイド表示
２５ａ,２６ａ 機能選択表示
２８  ＡＦ枠
２９  ストロボＯＮ表示
３０  ズームＳＷバー
【図１】
2012124627.tif 000003
【図２】
2012124627.tif 000004
【図３】
2012124627.tif 000005
【図４】
2012124627.tif 000006
【図５】
2012124627.tif 000007
【図６】
2012124627.tif 000008
【図７】
2012124627.tif 000009
【図８】
2012124627.tif 000010